(57)【要約】【課題】返送時の荷姿にあるスペースに荷物輸送時に使用する固縛具等付帯具を収容するリユース可能なパレット装置を提供する。【解決手段】荷物１５積載時該荷物１５を緊縛する部材を帯状体８及びこれに付帯する備品とより構成し、これら部材の容積を最小限となるようにした。これによりパレット１の返却時、荷姿のスペースに前記部材が収容されて返却されるようにした。【選択図】　　　図１
2004075185.tif 000002
【特許請求の範囲】
【請求項１】
返送時の荷姿に、荷物搭載時該荷物を緊縛する帯状体を含む付帯備品を収納可能なスペースを備えるパレットであって、荷物を搭載時には少なくとも前記帯状体を含む付帯備品の一部又は全部を用いて荷物を前記パレットに緊縛することを特徴とするリユース可能なパレット装置。
【請求項２】
帯状体を含む付帯備品は荷物搭載状態のパレットと共に帯状体の長さの調節機能と該荷物をパレットへ固縛する機能とを個々又は兼ね備えることを特徴とする請求項１に記載のリユース可能なパレット装置。
【請求項３】
帯状体が繊維を用いた織布、又は不織布であることを特徴とする請求項１又は請求項１及び請求項２に記載のリユース可能なパレット装置。
【請求項４】
帯状体が繊維により強化された樹脂フィルムであることを特徴とする請求項１又は請求項１及び請求項２に記載のリユース可能なパレット装置。
【請求項５】
帯状体が当該荷物を固縛可能な細かさの目に編まれたた又は加工された網であることを特徴とする請求項１又は請求項１及び請求項２に記載のリユース可能なパレット装置。
【請求項６】
帯状体が樹脂フィルムであることを特徴とする請求項１又は請求項１及び請求項２に記載のリユース可能なパレット装置。
【発明の詳細な説明】
【０００１】
【発明の属する技術分野】
本発明は、物流特に電気製品等の生産工場から市場への出荷の際に用いられるパレットについて特に環境負荷の軽減及び梱包、開包作業性及びコストの低減に配慮したリユース可能なパレット装置に関するものである。
【０００２】
【従来の技術】
製品の輸送業界に於いても環境負荷の軽減に関する関心は頓に高まり輸送用梱包についても省資源、環境負荷の軽減に意を用いた製品が増え来ている。この例として特開平２０００−１５９２３０では従来使用されている締結材を収容するパレットの改善がなされている。一方原材料、梱包作業等のコストの軽減も欠かせない重要事項である。此の観点からパッキング材、樹脂フィルム等は梱包作業性が良く且つ安価なことから利用されるが、開包後は簡単に使い捨てられるものも少なくないのが現状である。たとえば特開平７−２３２７３４では開梱作業を容易にするために、四隅部に対角線状に熱線を押し当ててフィルムを切断している。これら資材は捨てられるか又は最近は省資源の意識の向上に伴いパレットとは別に簡単に梱包して送り返す例が増えてきているのが実状である。
【０００３】
しかし返却されたこれら資材が本来再使用を意図して設計・生産されたものか又は現場における省資源の意識による改善であるかにより、再使用の効率が著しく異なる。
【０００４】
【発明が解決しようとする課題】
本発明はこのような問題を解決するためになされたもので、その目的は、梱包、開梱工数を最小に止め、全資材を完全に再使用するパレット装置を開発すべく鋭意検討した結果編み出されたものである。しかも単に特定のパレットに適用できるというものではなく、提供する最小の平板パレットから中型の組立式パレット、当社として最大級の樹脂製大型パレットの全てに共通した思想で設計されたものである。其の要旨は、パレット上に荷物を固定し且つ必要な緩衝作用を持たせる手段として柔軟性に富む帯状体を採用し、前記帯状体を含む付帯備品の一部又は全部を用いて荷物を前記パレットに緊縛固定する。また帯状体及び付帯備品の容積が極めて小さいことを利用してパレットに収容して返送し完全リユースを果たしている。
【０００５】
【課題を解決するための手段】
本発明の第一の手段は請求項１に該当し、返送時の荷姿に、荷物搭載時該荷物を緊縛する帯状体を含む付帯備品を収納可能なスペースを備えるパレットであって、荷物を搭載時には少なくとも前記帯状体即ち帯状の部材を含む付帯備品を用いて荷物を前記パレットに緊縛固定するようにしている。
【０００６】
本発明の第一の手段によれば緊縛具として柔軟性に富む帯状の部材を使用するため、荷物の緊縛が簡単に出来、且つ緊縛具そのものの容積が小さく柔軟なため市販の折り畳み式の箱形パレットの隙間にも容易に収納が可能であり又該収納部分を付加する改造をするにしても、改造による収納部分の容積増加は返送のため容積を小さく纏めた荷姿の容積に対してさほど増加することはない。
【０００７】
本発明の第二の手段は請求項２該当し、本発明の第一の手段における帯状体を含む付帯備品は荷物搭載状態のパレットと共に作用して帯状体の長さの調節機能とパレットへの固縛機能とを帯状体側個々又は帯状体とパレットの両方の間に備えるようにしている。
【０００８】
本発明の第二の手段によれば、複雑な機構を必要とせず作動確実な帯状体の長さの調節と荷物を確実にパレット上に固縛することが出来るという効果を奏する。
【０００９】
本発明の第三の手段は請求項３に該当し、本発明の第一、第二の手段における帯状体として繊維を用いた織布、又は不織布を用いるようにしている。
【００１０】
本発明の第三の手段によればコストが安く耐久性があるため繰り返しの使用に十分耐え且つ収納の容易さの点でも有利である。
【００１１】
本発明の第四の手段は請求項４に該当し、本発明の第一、第二の手段における帯状体に繊維により強化された樹脂フィルムを用いるようにしている。
【００１２】
本発明の第四の手段によれば本発明の第一、第二の手段の効果に加えて耐久性が更に増し、強い力でも破損することが少なく且つ、収納性が良いと言う効果がある。
【００１３】
本発明第五手段は請求項５に該当し、本発明の第一、第二の手段における帯状体を当該荷物を固縛可能な細かさの目に編まれたた又は加工された網を用いる
【００１４】
本発明の第五の手段によれば柔軟性に富み、取り扱いが良く、耐久性に優れているため作業性が良く作業コストの低減効果があり、輸送コストの低減に効果を発揮する。
尚編まれた網とは繊維を網に編み上げた製品を指し。加工されたとは帯状の素材に切り目を入れて網目を加工した製品を指す。
【００１５】
本発明の第六の手段は請求項６に該当し、本発明の第一、第二の手段における帯状体に樹脂フィルムを用いるようにしている。
【００１６】
本発明の第六の手段によれば、コストが極めて安く柔軟で弾性に富む、振動吸収性に優れ、収納性に優れ且つ作業性の良い固縛具とすることが出来る。
【００１７】
【発明の実施の形態】
次に本発明の実施の形態例について図面を参照して説明する。
図１乃至図３は本発明になるリユース可能なパレット装置の実施の形態の第一例を示す斜視全体図である。図１において１はパレットである。該パレット１に於いて２はパレット本体である。該パレット本体２は、樹脂製で荷物に対して実用的な範囲で軽量化を図った設計としている。
【００１８】
８は帯状体である。該帯状体８は耐久性のある柔軟で、所定の幅を有しており、パレット上の荷物を固縛するのに適した、望むらくは適度の弾性を有する材料で構成されている。３はパレット側に設けた固定用フックである、該フック３はパレット本体２の対向する一組の両端に前記帯状体８の幅よりも間隔を多く取って両端に固定されている。４は固定具である。該固定具４は帯状体８を巻き付け且つフック３に帯状体８を固定する。該固定具４は図２に示す如く木製の矩形断面のロッド５の両端をほぼ等しく残して固定片６とビス７により前記帯状体８の端をその全幅に亘り固定している。
【００１９】
前記帯状体８，固定具４、ロッド５、固定片６，ビス７で緊縛具９を構成する。１３はパレット本体２に穿孔されたパイプ１０の挿通用の孔である。１０，１１は夫々パレットに設けるパイプである。これらパイプのうちパイプ１０は図１に示す如くパレット本体２の固定孔１３に挿通し且つジョイント１２を介してパイプ１１と共に組み立てて保護枠を構成する。
【００２０】
１４はクッション材でり、１５はパレットに搭載された荷物である。
前記クッション材１４は発泡樹脂板を加工された荷物運搬時の緩衝材であると共に緊縛具９に依る緊縛力をパレットの全領域に配分する機能を果たしている。更にクッション材１４にはパイプ１０，１１，ジョイント１２を収容する溝が設けられており、パレットの返送時には、これらを収容して緊迫具９で覆い固定して図３に示す荷姿として返送される。
【００２１】
次にこのように構成されたリユース可能なパレット装置の作用について説明する。図１に於いてパレット上の緩衝材１４の上に荷物１５を積み上げる。荷物１５は一般に直方体又は等幅の角錐台形に積み上げることが好ましい。
【００２２】
此の荷物１５を緊縛具９によりパレット本体２に固定する。先ず緊縛具９の一方の固定具４を前記パレット本体２の一方のフック３に引っかけ帯状体８を前記パレット本体２に積み上げた荷物１５の上を覆うように掛けつつ反対側のフック３の方に移動し、前記反対側のフック３に近接して前記固定具４に帯状体８を巻き付け又は繰り出して帯状体８の長さを調節する。次いで固定具４をフック３の方にたぐり寄せてフック３に引っかける。帯状体８は本来柔軟性に富み且つ弾性があるため、図１に示したように緊縛力によりパレット本体２に荷物１５を固定する。
尚緩衝材１４はその弾性により変形して荷物１５に掛かる帯状体８の緊縛力が均等に配分されるように作用する。
【００２３】
パレット１の数が多く、積み上げて置く必要があるとき、又は荷物１５を保護する必要があるときには、前記緩衝材１４に収容されているパイプ１０、１１及びジョイント１２を取り出しておき図１に示すように組み立てる。又はパイプ１０，１１，ジョイント１２により組み立てられた枠のジョイント１２の上にパレット本体２が乗るようにして積み上げる。
【００２４】
目的地に於いて荷物１５を降ろした後、パレット１は、図３に示す如くパレット上の緩衝材１４にパイプ１０，１１及びジョイント１２を収容し、緊縛具９により固定して返送する。
【００２５】
尚フック３は図示の如く矩形断面の３つの面に接する形をしているので、巻き取った緊縛具９の帯状体８が巻き戻されて緩む恐れが無く、帯状体８の弾性により有効に緊縛力を発揮し得る。
【００２６】
本発明の実施の形態の第二例を図４及び図５により説明する。図４は組立式パレットの正面斜視図である。図５は図４の組立式パレットを折り畳んだ状態の正面断面図である。図４に於いて２０は組立式パレットである。該組立式パレット２０（以下組立式パレット２０をパレット２０と略称する。）は市販されている製品である。１６はパレット２０の上枠である。１９は下枠である。１８は長手方向の側壁である。また１７は短い方の側壁である。図４に於いて２６，２７は調節孔列である。該調節孔列２６，２７は上枠１６の両内側面に二条追加工したものである。
【００２７】
図５において前記パレットの上枠１６と前記下枠１９とは２８を境に分離している。２９は短い方の側壁１７と上枠１６を結合するピンジョイントである。該短い方の側壁１７は前記ピンジョイント２９を中心に中央部の端を下方に約９０度回転させて組み立て時の短い方の側壁を構成する。
【００２８】
長手方向の側壁１８，１８は、手前側で図の如く２枚が重なる形に折り畳まれており、その奥側の端が図示しないピンジョイントで結合されている。更に手前側において、上側の側壁１８はその両側で上枠１６に図示しないピンジョイントで結合されており、下側の側壁１８はその両端で下枠１９に図示しないピンジョイントで結合されている。
【００２９】
従って図５において上枠１６と下枠１９を上下に引き離す方向に引くと長手方向の側壁により上枠１６と下枠１９が位置決めされ且つ長手方向の側壁１８、１８の高さが短い側壁１７の高さと揃えてあるため図４に示すパレット２０となる。
【００３０】
上記の如く構成されているので折り畳みの際の干渉防止及び組み立て誤差の吸収のために折り畳まれたパレットには図５にハッチングで示すスペースがある。
【００３１】
次に本パレット２０の使用法を説明する。図４に於いて２３は緊縛具である。該緊縛具２３は固定具２４と帯状体２５とより成る。
【００３２】
該パレットに荷物１５を積む手順は、先ず組立てたパレット２０にその長手方向に沿って緊縛具２３の帯状体２５の中央部を底のほぼ中心位置になるようにして敷き、底の両端から突当たりの壁１７，１７に沿って上方へ上らせて上枠１６の上端から固定具２４，２４側を夫々外に垂らす。この状態で図示しない底敷きを入れて該帯状体２５を固定する。次に荷物１５を所定の高さまで積み込む。
【００３３】
次に両端の固定具２４を図示の如く一方の固定具２４を下側調節孔列２６の左右一組を選んで挿入して固定し、他の方の固定具２４をこれに重なるように張力を与えて上側の調節孔列２７の一組を選んで挿入して固定する。
【００３４】
次にその作用を説明する。本パレット２０は箱形であるから帯状体２５で緊縛力を与えられて荷物１５は固定状態に有り、該荷物１５の幅方向は壁１８、１８により移動が制限される。且つ前記図示しない底敷きにより帯状体の緊縛力は有る程度均等化される。更に固定具２４の作用で荷物１５は上から釣るような形になるため衝撃の緩和作用もあるという効果がある。
【００３５】
本緊縛具２３は、両端に固定具２４を持つ帯状体２５と、別に図示しない底敷きのみであるから容積は極めて小さく、返送時折り畳んだ市販のパレット２０の隙間（図５のハッチング部分）に容易に収納できる。
【００３６】
本発明の実施の態様の第三例を図７乃至図９により説明する。図７に於いて３０はパレットである。該パレット３０は帯状体３８の幅よりも幅の広い長方形の段ボール等の強度部材の両端から内に向かって、積む荷物１５の高さより大きい距離の位置にヒンジ部３６を設けている。該ヒンジ部３６により折り曲げられる前記長方形の両端の部分３３，３３の該ヒンジより内側には帯状体３８を挿通する窓３９が明けられている。
【００３７】
該窓３９，３９の外側にはスペーサ３７，３７が挿入されている。パレット３０に荷物１５を積み込んだ後、帯状体３８は中央部に余裕を残して前記窓３９，３９より下側に挿通され両端の折り曲げ部分３３，３３の裏側より両端で折り返されその両端をクランプ３５，３５で固定する。
３２，３２はパレット３０の補強と荷物１５の幅方向の移動防止の位置決めである。
【００３８】
次に作用を説明する。図８は図７のＡ−Ａ断面図である。図７に於いて帯状体３８は両端の折り曲げ部３３，３３を折り曲げることにより荷物１５をパレット板上に包み込む形となり緊張される。この際の緊張の度合いは、左右何れかのクランプ３５を外して張力を調節した後該クランプ３５を戻して適正な張力とする。本パレットを利用して荷物１５を輸送する姿は図１０に示す状態となる。
【００３９】
返却時には図１１の如く帯状体３８を含め、即再使用可能な状態で折り畳んで返却される。返却時の状態はパレット本体３１を折り畳んだ容積とほぼ等しい容積で極めて省スペース的である。
【００４０】
以上本発明について大型のパレット１、組立式パレット２０、及び小型の平板パレット３０について実施の態様を説明してきたが、緊縛具の調整手段について夫々のパレットにつき応用例を説明すると、図４に於いて使用した緊縛具２３の代わりに図６に於いては図１で説明した緊縛具９の形式を用いている。この場合には固定具４に帯状体８を巻き又は解いて長さの調節が出来るため、上枠１６に設ける固定溝は該固定具４の一端が挿入出来る角穴であり、他端はさし込める角溝で有ればよい。その他図４と同じ部分には、同じ符号を付して説明を省略する。又図７で説明した平板パレットに図１に於ける緊縛具９の形式を用いると、図９に示す如く図７に於けるクランプ３５に替えて固定具４を用いて帯状体８を巻き、解きして長さを調節し、フック４３で固定している。その他図７と同じ部分には同じ符号を付して説明を省略する。
【００４１】
更に固定手段は帯状体の材料及び搭載する荷物１５によって適宜選択して採用することが必要である。此の点について更に詳述すると、樹脂フィルム、ゴムと繊維を組み合わせたネット等の如く帯状体が弾性に富む場合には上述の例で十分実用に供し得るが、帯状体が木綿の布、繊維強化された樹脂フィルム等、弾性の少ない帯状体を使用する場合には緊縛力を別の機構で適宜付与する必要が生ずることもある。
【００４２】
このような場合、付帯具として緊縛力を付与する方法は図１２ｂに示す如くフック部分５５に弾発力５６を利用する。又図１２ａに示す如く固定軸５７上にドラム５８をその固定軸５７に回転自在に設け、前記固定軸５７と前記ドラム５８の間に弦巻バネ５９を介在固定させ該弦巻バネ５９の弾発力を巻き上げ力として利用することにより緊縛力を付与することもできる。又弦巻バネ５８の代わりにコイルバネを同様に配置してコイルバネの弾発力を巻き上げ力として利用することもできる。等本発明の要旨を逸脱しない範囲で変更は自由であることは勿論である。
【００４３】
【発明の効果】
以上説明したように本発明のリユース可能なパレット装置の効果は、
１．請求項１の効果は、パレットに付帯して使用される機材が全てリユースされるので、資材費のコストが削減され、自然環境に対する負荷が最小となる。
【００４４】
２．請求項２の効果は固縛作業性が極めて良いので作業工数が大幅に削減できる。
３．請求項３乃至請求項６の効果は、緊縛具の容積が極めて小さいため市販のパレットに特別のスペースを付加することなく折り畳んだスペースに収容回収を可能にしている。
また、収容するスペースを付加する場合でも最小の容積の増加で済む。
【図面の簡単な説明】
【図１】本発明を大型パレットに実施した例を示す斜視全体図である。
【図２】固定具の詳細を示す図である。
【図３】図１の返送時の荷姿を示す斜視全体図である。
【図４】本発明を箱形パレットに適用した状態を示す斜視全体図である。
【図５】図４を折り畳み返送時の荷姿を示す正面断面図である。
【図６】組立式パレットの別の緊縛具を用いた例を示す斜視全体図である。
【図７】平板パレットの一例を示す斜視全体図である。
【図８】図７のＡ−Ａ断面図である。
【図９】平板パレットの他の例を示す斜視全体図である。
【図１０】組立式パレットに平板パレットを収容した状況を示す正面断面図である。
【図１１】平板パレットを折り畳んだ状況を示す正面図である。
【図１２】その他の緊縛具を示す部分図である。（ａ）弦巻バネの弾発力を巻き上げ力として利用して緊迫力を与える例を示
す図である。
（ｂ）フック部分の弾発力を利用して緊迫力を与える例を示す図である。
【符号の説明】
１，２０，３０，４０　パレット
２、３１，４１　パレット本体
３、４３　フック
４、４５、５３　固定具
４ａ、４７、５４　固定片
４ｂ、ビス
２５，３８帯状体
６　固定片
７、２３　緊縛具
８、２５、３８帯状体
１０，１１　パイプ
１２　ジョイント
１３　固定孔
１５　荷物
２６、２７　調節孔
３５　クランプ
３６　ヒンジ
３９　窓
５５　フック部分
【図１】
2004075185.tif 000003
【図２】
2004075185.tif 000004
【図３】
2004075185.tif 000005
【図４】
2004075185.tif 000006
【図５】
2004075185.tif 000007
【図６】
2004075185.tif 000008
【図７】
2004075185.tif 000009
【図８】
2004075185.tif 000010
【図９】
2004075185.tif 000011
【図１０】
2004075185.tif 000012
【図１１】
2004075185.tif 000013
【図１２】
2004075185.tif 000014